【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数のノードのうちの第１のサブセットから第１のコンテンツを配信する複数のブロードキャスト信号を受信すること、ここで、ノードの前記第１のサブセットは、第１の時間期間中に免許不要帯域において、補助的ダウンリンクキャリアとして前記複数のブロードキャスト信号を送信する、と、
前記複数のノードのうちの第２のサブセットから第２のコンテンツを配信する前記複数のブロードキャスト信号を受信すること、ここで、ノードの前記第２のサブセットは、第２の時間期間中に前記免許不要帯域において、前記補助的ダウンリンクキャリアとして前記複数のブロードキャスト信号を送信し、ここにおいて、ノードの前記第１のサブセットがノードの前記第２のサブセットとは異なる、と、
免許帯域上でサービングノードから、前記複数のブロードキャスト信号のための制御チャネルのロケーションを示すシステム情報を受信することと、
前記免許帯域上で、前記複数のノードのうちの１つまたは複数のノードから、前記制御チャネルを受信することと、
を備える、方法。
【請求項２】
前記複数のノードが、前記第１および第２の時間期間中に部分的単一周波数ネットワーク（ＳＦＮ）動作を実行するＳＦＮを備える、請求項１に記載の方法。
【請求項３】
前記第１および第２の時間期間が、前記複数のノードの各ノードのためのリスニング間隔の間で同期された送信期間を備える、請求項１に記載の方法。
【請求項４】
前記システム情報を受信することが、前記免許帯域上で前記サービングノードから送信された前記システム情報を備えるシステム情報ブロック（ＳＩＢ）を受信することを備える、請求項１に記載の方法。
【請求項５】
前記システム情報が、時間的なマルチメディアブロードキャストマルチキャストサービス（ＭＢＭＳ）制御チャネル（ＭＣＣＨ）ロケーションの指示を備える、請求項１に記載の方法。
【請求項６】
前記ＭＣＣＨが、前記免許帯域を使用して物理マルチキャストチャネル（ＰＭＣＨ）上で送信される、請求項５に記載の方法。
【請求項７】
前記ＭＣＣＨが、前記免許不要帯域を使用して前記ＰＭＣＨ上で送信される、請求項５に記載の方法。
【請求項８】
前記システム情報を受信することが、前記免許帯域上で送信されるべき前記ＭＣＣＨの一部分を示すシステム情報ブロック（ＳＩＢ）を受信することを備える、請求項７に記載の方法。
【請求項９】
前記制御チャネルを受信したことに応答して、前記複数のブロードキャスト信号を受信することを求める要求を送信すること
をさらに備える、請求項１に記載の方法。
【請求項１０】
前記免許不要帯域を使用し、前記システム情報を受信したことに応答して、前記サービングノードに前記複数のブロードキャスト信号を受信することを求める要求を送信すること、
をさらに備える、請求項１に記載の方法。
【請求項１１】
ワイヤレス通信のための装置であって、
プロセッサと、
前記プロセッサに結合されたメモリとを備え、ここにおいて、前記プロセッサが、
複数のノードのうちの第１のサブセットから第１のコンテンツを配信する複数のブロードキャスト信号を受信すること、ここで、ノードの前記第１のサブセットが、第１の時間期間中に免許不要帯域において、補助的ダウンリンクキャリアとして前記複数のブロードキャスト信号を送信する、と、
前記複数のノードのうちの第２のサブセットから第２のコンテンツを配信する前記複数のブロードキャスト信号を受信すること、ここで、ノードの前記第２のサブセットが、第２の時間期間中に前記免許不要帯域において、補助的ダウンリンクキャリアとして前記複数のブロードキャスト信号を送信する、ここにおいて、ノードの前記第１のサブセットがノードの前記第２のサブセットとは異なる、と、
免許帯域上でサービングノードから、前記複数のブロードキャスト信号のための制御チャネルのロケーションを示すシステム情報を受信することと、
前記免許帯域上で、前記複数のノードのうちの１つまたは複数のノードから、前記制御チャネルを受信することと、
を行うように構成された、装置。
【請求項１２】
前記システム情報が、前記免許帯域上で前記サービングノードから送信された前記システム情報を備えるシステム情報ブロック（ＳＩＢ）を備える、請求項１１に記載の装置。
【請求項１３】
前記システム情報が、時間的なマルチメディアブロードキャストマルチキャストサービス（ＭＢＭＳ）制御チャネル（ＭＣＣＨ）ロケーションの指示を備える、請求項１１に記載の装置。
【請求項１４】
前記プロセッサが、前記制御チャネルを受信したことに応答して、前記複数のブロードキャスト信号を受信することを求める要求を送信することを行うようにさらに構成された、請求項１１に記載の装置。
【請求項１５】
前記プロセッサが、前記免許不要帯域を使用し、前記システム情報を受信したことに応答して、前記サービングノードに前記複数のブロードキャスト信号を受信することを求める要求を送信することを行うようにさらに構成された、請求項１１に記載の装置。
【請求項１６】
ワイヤレス通信のための装置であって、
複数のノードのうちの第１のサブセットから第１のコンテンツを配信する複数のブロードキャスト信号を受信するための手段、ここで、ノードの前記第１のサブセットが、第１の時間期間中に免許不要帯域において、補助的ダウンリンクキャリアとして前記複数のブロードキャスト信号を送信する、と、
前記複数のノードのうちの第２のサブセットから第２のコンテンツを配信する前記複数のブロードキャスト信号を受信するための手段、ここで、ノードの前記第２のサブセットが、第２の時間期間中に前記免許不要帯域において、補助的ダウンリンクキャリアとして前記複数のブロードキャスト信号を送信し、ここにおいて、ノードの前記第１のサブセットがノードの前記第２のサブセットとは異なる、と、
免許帯域上でサービングノードから、前記複数のブロードキャスト信号のための制御チャネルのロケーションを示すシステム情報を受信するための手段と、
前記免許帯域上で、前記複数のノードのうちの１つまたは複数のノードから、前記制御チャネルを受信するための手段と、
を備える、装置。
【請求項１７】
前記システム情報が、前記免許帯域上で前記サービングノードから送信された前記システム情報を備えるシステム情報ブロック（ＳＩＢ）を備える、請求項１６に記載の装置。
【請求項１８】
前記システム情報が、時間的なマルチメディアブロードキャストマルチキャストサービス（ＭＢＭＳ）制御チャネル（ＭＣＣＨ）ロケーションの指示を備える、請求項１６に記載の装置。
【請求項１９】
前記制御チャネルを受信したことに応答して、前記複数のブロードキャスト信号を受信することを求める要求を送信するための手段をさらに備える、請求項１６に記載の装置。
【請求項２０】
プロセッサによって実行可能な命令を記憶するための非一時的コンピュータ可読な媒体であって、
複数のノードのうちの第１のサブセットから第１のコンテンツを配信する複数のブロードキャスト信号を受信するための命令、ここで、ノードの前記第１のサブセットが、第１の時間期間中に免許不要帯域において、補助的ダウンリンクキャリアとして前記複数のブロードキャスト信号を送信する、と、
前記複数のノードのうちの第２のサブセットから第２のコンテンツを配信する前記複数のブロードキャスト信号を受信するための命令、ここで、ノードの前記第２のサブセットが、第２の時間期間中に前記免許不要帯域において、補助的ダウンリンクキャリアとして前記複数のブロードキャスト信号を送信し、ここにおいて、ノードの前記第１のサブセットがノードの前記第２のサブセットとは異なる、と、
免許帯域上でサービングノードから、前記複数のブロードキャスト信号のための制御チャネルのロケーションを示すシステム情報を受信するための命令と、
前記免許帯域上で、前記複数のノードのうちの１つまたは複数のノードから、前記制御チャネルを受信するための命令と、
を備える、非一時的コンピュータ可読な媒体。
【請求項２１】
ワイヤレス通信のための方法であって、
複数のノードのうちの第１のサブセットから第１のコンテンツを配信する複数のブロードキャスト信号を受信すること、ここで、ノードの前記第１のサブセットは、第１の時間期間中に免許不要帯域において前記ブロードキャスト信号を送信する、と、
前記複数のノードのうちの第２のサブセットから第２のコンテンツを配信する前記複数のブロードキャスト信号を受信すること、ここで、ノードの前記第２のサブセットは、第２の時間期間中に前記免許不要帯域において前記ブロードキャスト信号を送信し、ここにおいて、ノードの前記第１のサブセットがノードの前記第２のサブセットとは異なる、と、
前記複数のブロードキャスト信号のための制御チャネルのロケーションを示すシステム情報を備えるシステム情報ブロック（ＳＩＢ）を受信すること、ここで、前記ＳＩＢは、免許帯域上でサービングノードから送信される、と、
を備える、方法。
【請求項２２】
前記複数のノードが、前記第１および第２の時間期間中に部分的単一周波数ネットワーク（ＳＦＮ）動作を実行するＳＦＮを備える、請求項２１に記載の方法。
【請求項２３】
前記複数のブロードキャスト信号は、ノードの前記第１のサブセットとノードの前記第２のサブセットとから、補助的ダウンリンクキャリアとして送信され、前記方法は、
前記複数のノードのうちの１つまたは複数のノードから、前記制御チャネルを受信すること、
をさらに備える、請求項２１に記載の方法。
【請求項２４】
前記制御チャネルは、前記免許帯域上で受信される、請求項２３に記載の方法。
【請求項２５】
前記制御チャネルは、前記免許不要帯域上で受信される、請求項２３に記載の方法。
【請求項２６】
前記複数のブロードキャスト信号が、前記免許不要帯域を使用してキャリアアグリゲーションモードにおいてノードの前記第１のサブセットとノードの前記第２のサブセットとから送信される、請求項２１に記載の方法。
【請求項２７】
前記ブロードキャスト信号が、前記免許不要帯域を使用してスタンドアロン（ＳＡ）モードにおいてノードの前記第１のサブセットとノードの前記第２のサブセットとから送信され、前記方法は、
前記免許不要帯域上で前記複数のノードのうちの１つまたは複数のノードから前記制御チャネルを受信すること、
をさらに備える、請求項２１に記載の方法。
【請求項２８】
ワイヤレス通信のための方法であって、
複数のノードのうちの第１のサブセットから第１のコンテンツを配信する複数のブロードキャスト信号を受信すること、ここで、ノードの前記第１のサブセットは、第１の時間期間中に免許不要帯域において前記ブロードキャスト信号を送信する、と、
前記複数のノードのうちの第２のサブセットから第２のコンテンツを配信する前記複数のブロードキャスト信号を受信すること、ここで、ノードの前記第２のサブセットは、第２の時間期間中に前記免許不要帯域において前記ブロードキャスト信号を送信し、ここにおいて、ノードの前記第１のサブセットがノードの前記第２のサブセットとは異なる、と、
時間的なマルチメディアブロードキャストマルチキャストサービス（ＭＢＭＳ）制御チャネル（ＭＣＣＨ）ロケーションの指示を備えるシステム情報を受信すること、ここで、前記ＭＣＣＨは、（ｉ）免許帯域または（ｉｉ）前記免許不要帯域のうちの１つを使用して物理マルチキャストチャネル（ＰＭＣＨ）上で送信され、ここにおいて、前記システム情報を受信することは、前記免許帯域上で送信されるべき前記ＭＣＣＨに関連する前記情報の一部分を示すシステム情報ブロック（ＳＩＢ）を受信することを備える、と、
を備える、方法。
【請求項２９】
前記複数のノードが、前記第１および第２の時間期間中に部分的単一周波数ネットワーク（ＳＦＮ）動作を実行するＳＦＮを備える、請求項２８に記載の方法。
【請求項３０】
前記複数のブロードキャスト信号は、ノードの前記第１のサブセットとノードの前記第２のサブセットとから、補助的ダウンリンクキャリアとして送信され、前記方法は、
前記複数のノードのうちの１つまたは複数のノードから、前記制御チャネルを受信すること、
をさらに備える、請求項２８に記載の方法。
【請求項３１】
前記制御チャネルは、前記免許帯域上で受信される、請求項３０に記載の方法。
【請求項３２】
前記制御チャネルは、前記免許不要帯域上で受信される、請求項３０に記載の方法。
【請求項３３】
前記複数のブロードキャスト信号が、前記免許不要帯域を使用してキャリアアグリゲーションモードにおいてノードの前記第１のサブセットとノードの前記第２のサブセットとから送信される、請求項２８に記載の方法。
【請求項３４】
前記複数のブロードキャスト信号が、前記免許不要帯域を使用してスタンドアロン（ＳＡ）モードにおいてノードの前記第１のサブセットとノードの前記第２のサブセットとから送信され、前記方法は、
前記免許不要帯域上で前記複数のノードのうちの１つまたは複数のノードから前記制御チャネルを受信すること、
をさらに備える、請求項２８に記載の方法。
【手続補正２】
【補正対象書類名】明細書
【補正対象項目名】０２６８
【補正方法】変更
【補正の内容】
【０２６８】
[0305]本開示のこれまでの説明は、当業者が本開示を構成または使用することを可能にするために与えられる。本開示への様々な修正が当業者には容易に明らかであり、本明細書で定義された一般的な原理は、本開示の趣旨または範囲から逸脱することなく他の変形形態に適用され得る。本開示全体にわたって、「例」または「例示的」という用語は、例または事例を示すものであり、述べられた例に対する選好を何ら暗示せず、または要求しない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ワイヤレス通信のための方法であって、
複数のノードのうちの第１のサブセットから第１のコンテンツを配信するブロードキャスト信号を受信すること、ここで、ノードの前記第１のサブセットは、第１の時間期間中に免許不要帯域において前記ブロードキャスト信号を送信する、と、
前記複数のノードのうちの第２のサブセットから第２のコンテンツを配信する前記ブロードキャスト信号を受信すること、ここで、ノードの前記第２のサブセットは、第２の時間期間中に前記免許不要帯域において前記ブロードキャスト信号を送信し、ここにおいて、ノードの前記第１のサブセットがノードの前記第２のサブセットとは異なる、と、
を備える、方法。
［Ｃ２］
前記複数のノードが、前記第１および第２の時間期間中に部分的単一周波数ネットワーク（ＳＦＮ）動作を実行するＳＦＮを備える、Ｃ１に記載の方法。
［Ｃ３］
前記第１および第２の時間期間が、前記複数のノードの各ノードのためのリスニング間隔の間で同期された送信期間を備える、Ｃ１に記載の方法。
［Ｃ４］
前記ブロードキャスト信号のための制御チャネルのロケーションを示すシステム情報を受信すること
をさらに備える、Ｃ１に記載の方法。
［Ｃ５］
前記システム情報を受信することが、免許帯域上でサービングノードから送信された前記システム情報を備えるシステム情報ブロック（ＳＩＢ）を受信することを備える、Ｃ４に記載の方法。
［Ｃ６］
前記システム情報が、時間的なマルチメディアブロードキャストマルチキャストサービス（ＭＢＭＳ）制御チャネル（ＭＣＣＨ）ロケーションの指示を備える、Ｃ４に記載の方法。
［Ｃ７］
前記ＭＣＣＨが、免許帯域を使用して物理マルチキャストチャネル（ＰＭＣＨ）上で送信される、Ｃ６に記載の方法。
［Ｃ８］
前記ＭＣＣＨが、前記免許不要帯域を使用して前記ＰＭＣＨ上で送信される、Ｃ６に記載の方法。
［Ｃ９］
前記システム情報を受信することが、免許帯域上で送信されるべき前記ＭＣＣＨの一部分を示すシステム情報ブロック（ＳＩＢ）を受信することを備える、Ｃ８に記載の方法。
［Ｃ１０］
前記制御チャネルを受信したことに応答して、前記ブロードキャスト信号を受信することを求める要求を送信すること
をさらに備える、Ｃ４に記載の方法。
［Ｃ１１］
前記ブロードキャスト信号が、補助的ダウンリンクキャリアとしてノードの前記第２のサブセットとノードの前記第１のサブセットとから送信される、Ｃ１に記載の方法。
［Ｃ１２］
免許帯域上でサービングノードから、前記ブロードキャスト信号のための制御チャネルのロケーションを示すシステム情報を受信することと、
前記複数のノードのうちの１つまたは複数のノードから、前記制御チャネルを受信することと、
をさらに備える、Ｃ１１に記載の方法。
［Ｃ１３］
前記制御チャネルが前記免許帯域上で受信される、Ｃ１２に記載の方法。
［Ｃ１４］
前記制御チャネルが前記免許不要帯域上で受信される、Ｃ１２に記載の方法。
［Ｃ１５］
前記ブロードキャスト信号が、前記免許不要帯域を使用してキャリアアグリゲーションモードにおいてノードの前記第１のサブセットとノードの前記第２のサブセットとから送信される、Ｃ１に記載の方法。
［Ｃ１６］
前記ブロードキャスト信号が、前記免許不要帯域を使用してスタンドアロン（ＳＡ）モードにおいてノードの前記第１のサブセットとノードの前記第２のサブセットとから送信される、前記方法が、
前記免許不要帯域上でサービングノードから、前記ブロードキャスト信号のための制御チャネルのロケーションを示すシステム情報を受信することと、
前記免許不要帯域上で前記複数のノードのうちの１つまたは複数のノードから前記制御チャネルを受信することと、
をさらに備える、Ｃ１に記載の方法。
［Ｃ１７］
前記免許不要帯域を使用しシステム情報を受信したことに応答して、サービングノードに前記ブロードキャスト信号を受信することを求める要求を送信すること、
をさらに備える、Ｃ１に記載の方法。
［Ｃ１８］
ワイヤレス通信のための装置であって、
プロセッサと、
前記プロセッサに結合されたメモリとを備え、ここにおいて、前記プロセッサが、
複数のノードのうちの第１のサブセットから第１のコンテンツを配信するブロードキャスト信号を受信すること、ここで、ノードの前記第１のサブセットが、第１の時間期間中に免許不要帯域において前記ブロードキャスト信号を送信する、と、
前記複数のノードのうちの第２のサブセットから第２のコンテンツを配信する前記ブロードキャスト信号を受信すること、ここで、ノードの前記第２のサブセットが、第２の時間期間中に前記免許不要帯域において前記ブロードキャスト信号を送信する、ここにおいて、ノードの前記第１のサブセットがノードの前記第２のサブセットとは異なる、と、
を行うように構成された、装置。
［Ｃ１９］
前記プロセッサが、前記ブロードキャスト信号のための制御チャネルのロケーションを示すシステム情報を受信することを行うようにさらに構成された、Ｃ１８に記載の装置。
［Ｃ２０］
前記システム情報が、免許帯域上でサービングノードから送信された前記システム情報を備えるシステム情報ブロック（ＳＩＢ）を備える、Ｃ１９に記載の装置。
［Ｃ２１］
前記システム情報が、時間的なマルチメディアブロードキャストマルチキャストサービス（ＭＢＭＳ）制御チャネル（ＭＣＣＨ）ロケーションの指示を備える、Ｃ１９に記載の装置。
［Ｃ２２］
前記プロセッサが、前記制御チャネルを受信したことに応答して、前記ブロードキャスト信号を受信することを求める要求を送信することを行うようにさらに構成された、Ｃ１９に記載の装置。
［Ｃ２３］
前記ブロードキャスト信号が、前記免許不要帯域を使用してスタンドアロン（ＳＡ）モードにおいてノードの前記第１のサブセットとノードの前記第２のサブセットとから送信され、前記プロセッサが、
前記免許不要帯域上でサービングノードから、前記ブロードキャスト信号のための制御チャネルのロケーションを示すシステム情報を受信することと、
前記免許不要帯域上で前記複数のノードのうちの１つまたは複数のノードから前記制御チャネルを受信することと、
を行うようにさらに構成された、Ｃ１８に記載の装置。
［Ｃ２４］
前記プロセッサが、前記免許不要帯域を使用しシステム情報を受信したことに応答して、サービングノードに前記ブロードキャスト信号を受信することを求める要求を送信することを行うようにさらに構成された、Ｃ１８に記載の装置。
［Ｃ２５］
ワイヤレス通信のための装置であって、
複数のノードのうちの第１のサブセットから第１のコンテンツを配信するブロードキャスト信号を受信するための手段、ここで、ノードの前記第１のサブセットが、第１の時間期間中に免許不要帯域において前記ブロードキャスト信号を送信する、と、
前記複数のノードのうちの第２のサブセットから第２のコンテンツを配信する前記ブロードキャスト信号を受信するための手段、ここで、ノードの前記第２のサブセットが、第２の時間期間中に前記免許不要帯域において前記ブロードキャスト信号を送信し、ここにおいて、ノードの前記第１のサブセットがノードの前記第２のサブセットとは異なる、と、
を備える、装置。
［Ｃ２６］
前記ブロードキャスト信号のための制御チャネルのロケーションを示すシステム情報を受信するための手段をさらに備える、Ｃ２５に記載の装置。
［Ｃ２７］
前記システム情報が、免許帯域上でサービングノードから送信された前記システム情報を備えるシステム情報ブロック（ＳＩＢ）を備える、Ｃ２６に記載の装置。
［Ｃ２８］
前記システム情報が、時間的なマルチメディアブロードキャストマルチキャストサービス（ＭＢＭＳ）制御チャネル（ＭＣＣＨ）ロケーションの指示を備える、Ｃ２６に記載の装置。
［Ｃ２９］
前記制御チャネルを受信したことに応答して、前記ブロードキャスト信号を受信することを求める要求を送信するための手段をさらに備える、Ｃ２６に記載の装置。
［Ｃ３０］
プロセッサによって実行可能な命令を記憶するための非一時的コンピュータ可読な媒体であって、
複数のノードのうちの第１のサブセットから第１のコンテンツを配信するブロードキャスト信号を受信するための命令、ここで、ノードの前記第１のサブセットが、第１の時間期間中に免許不要帯域において前記ブロードキャスト信号を送信する、と、
前記複数のノードのうちの第２のサブセットから第２のコンテンツを配信する前記ブロードキャスト信号を受信するための命令、ここで、ノードの前記第２のサブセットが、第２の時間期間中に前記免許不要帯域において前記ブロードキャスト信号を送信し、ここにおいて、ノードの前記第１のサブセットがノードの前記第２のサブセットとは異なる、と、
を備える、非一時的コンピュータ可読な媒体。